(57)【要約】  本発明は、家具本体（２）に対して可動に支持された家具部分（３）のための家具駆動装置（４）であって、可動の家具部分（３）を移動させるための、少なくとも１つの旋回可能に支持された作動アーム（６）と、作動アーム（６）に力を加えるためのばね装置（１０）と、ばね装置（１０）の力を作動アーム（６）に伝達するための伝達機構（３３）であって、第１のトルク経過を有する第１の調節輪郭（２４）と、ばね装置（１０）によって力が加えられる押圧部材（２６）とを有しており、押圧部材（２６）は、作動アーム（６）の移動時に第１の調節輪郭（２４）に沿って走行可能である、伝達機構（３３）と、を備える家具駆動装置（４）に関し、第１のトルク経過とは異なる第２のトルク経過を有する少なくとも１つの第２の調節輪郭（２７）と、切換え装置（９）とが設けられており、切換え装置（９）によって、少なくとも１つの第２の調節輪郭（２７）は押圧部材（２６）と係合することができ、これによって押圧部材（２６）は、作動アーム（６）の移動時に第２の調節輪郭（２７）に沿って走行可能である。
2019515162.tif 000002
【特許請求の範囲】
【請求項１】
家具本体（２）に対して可動に支持された家具部分（３）のための家具駆動装置（４）であって、
前記可動の家具部分（３）を移動させるための、少なくとも１つの旋回可能に支持された作動アーム（６）と、
前記作動アーム（６）に力を加えるためのばね装置（１０）と、
前記ばね装置（１０）の力を前記作動アーム（６）に伝達するための伝達機構（３３）であって、該伝達機構（３３）は、第１のトルク経過を有する第１の調節輪郭（２４）と、前記ばね装置（１０）によって力が加えられる押圧部材（２６）とを有しており、該押圧部材（２６）は、前記作動アーム（６）の移動時に前記第１の調節輪郭（２４）に沿って走行可能である、伝達機構（３３）と、
を備える家具駆動装置（４）において、
前記第１のトルク経過とは異なる第２のトルク経過を有する少なくとも１つの第２の調節輪郭（２７）と、切換え装置（９）とが設けられており、該切換え装置（９）によって、前記少なくとも１つの第２の調節輪郭（２７）は前記押圧部材（２６）と係合することができ、したがって、前記押圧部材（２６）は、前記作動アーム（６）の移動時に前記第２の調節輪郭（２７）に沿って走行可能であることを特徴とする、家具駆動装置（４）。
【請求項２】
前記切換え装置（９）は、少なくとも１つのスイッチ（１８）を有しており、該スイッチ（１８）は、第１の位置と第２の位置とを有しており、前記第１の調節輪郭（２４）は、前記スイッチ（１８）の前記第１の位置においてロック可能であり、前記スイッチ（１８）の前記第２の位置においてロック解除可能である、請求項１記載の家具駆動装置。
【請求項３】
前記第１の調節輪郭（２４）に、戻しばね（２８）によって、前記第１の調節輪郭（２４）が前記スイッチ（１８）とロック可能である前記第１の位置の方向に、予荷重が加えられている、請求項２記載の家具駆動装置。
【請求項４】
前記第１の調節輪郭（２４）は、回転軸（２５）の周りに旋回可能に支持されている、請求項１から３までのいずれか１項記載の家具駆動装置。
【請求項５】
前記第２の調節輪郭（２７）は、前記作動アーム（６）の回転軸（１２）に対して位置固定に形成されている、請求項１から４までのいずれか１項記載の家具駆動装置。
【請求項６】
前記家具駆動装置（４）は、取付け位置において、少なくとも１つのばねエレメント（３８）によって、前記家具本体（２）に対して制限された範囲で高さ方向可動に支持されており、これによって前記可動の家具部分（３）は、第１の重量および／または第１の負荷状態によって、前記家具本体（２）に対して第１の高さ位置をとり、前記第１の重量に対して大きな第２の重量および／または前記第１の負荷状態に対して大きな第２の負荷状態によって、前記家具本体（２）に対して第２の高さ位置をとり、該第２の高さ位置は、前記第１の高さ位置と比べて低い位置にある、請求項１から５までのいずれか１項記載の家具駆動装置。
【請求項７】
前記切換え装置（９）は、前記第２の高さ位置において解除可能である、請求項６記載の家具駆動装置。
【請求項８】
前記切換え装置（９）は、手動で解除可能であり、かつ／または、前記可動の家具部分（３）の異なる重量によっておよび／または前記可動の家具部分（３）の異なる負荷状態によって自動的に解除可能である、請求項１から７までのいずれか１項記載の家具駆動装置。
【請求項９】
請求項１から８までのいずれか１項記載の家具駆動装置（４）と、家具本体（２）に前記家具駆動装置（４）を取り付けるための保持構造（１１）と、を備えるアセンブリ。
【請求項１０】
前記保持構造（１１）は、前記家具本体（２）に固定すべき第１の保持体（１６）と、該第１の保持体（１６）に対して、好ましくは取付け位置において鉛直方向に移動可能に支持された第１の保持レール（１７）とを有しており、前記家具駆動装置（４）は、前記第１の保持レール（１７）に支持されている、請求項９記載のアセンブリ。
【請求項１１】
切換え装置（９）のスイッチ（１８）が、前記第１の保持体（１６）に配置されている、請求項１０記載のアセンブリ。
【請求項１２】
前記保持構造（１１）は、前記家具本体（２）に固定すべき第２の保持体（１６ａ）と、該第２の保持体（１６ａ）に対して、好ましくは鉛直方向に移動可能に支持された第２の保持レール（１７ａ）とを有しており、第２の家具駆動装置（４ａ）が、前記第２の保持レール（１７ａ）に支持されている、請求項１０または１１記載のアセンブリ。
【請求項１３】
前記第１の保持体（１６）に対する前記第１の家具駆動装置（４）の鉛直方向運動が、前記第２の保持体（１６ａ）に対する前記第２の家具駆動装置（４ａ）の鉛直方向運動と、第１の同期ロッド（１９）を介して互いに同期可能である、請求項１２記載のアセンブリ。
【請求項１４】
前記第１の同期ロッド（１９）は、第１の歯車（３６）を備えた第１の端部領域と、第２の歯車（３６）を備えた第２の端部領域とを有しており、前記第１の歯車（３６）および前記第２の歯車（３６）はそれぞれ、前記第１の同期ロッド（１９）に回動不能に結合されており、前記第１の歯車（３６）は、前記第１の保持体（１６）の第１の歯列（３７）と共働し、前記第２の歯車（３６）は、前記第２の保持体（１６ａ）の第２の歯列（３７）と共働する、請求項１３記載のアセンブリ。
【請求項１５】
前記第１の家具駆動装置（４）の前記作動アーム（６）の旋回運動が、前記第２の家具駆動装置（４ａ）の前記作動アーム（６ａ）の旋回運動と、第２の同期ロッド（２０）を介して互いに同期可能である、請求項１２から１４までのいずれか１項記載のアセンブリ。
【発明の詳細な説明】
【技術分野】
【０００１】
本発明は、家具本体に対して可動に支持された家具部分のための家具駆動装置であって、
可動の家具部分を移動させるための、少なくとも１つの旋回可能に支持された作動アームと、
作動アームに力を加えるためのばね装置と、
ばね装置の力を作動アームに伝達するための伝達機構であって、伝達機構は、第１のトルク経過を有する第１の調節輪郭と、ばね装置によって力が加えられる押圧部材とを有しており、押圧部材は、作動アームの移動時に第１の調節輪郭に沿って走行可能である、伝達機構と、
を備える家具駆動装置に関する。
【０００２】
さらに本発明は、上に記載された形式の家具駆動装置と、家具本体に家具駆動装置を取り付けるための保持構造とを備えた、アセンブリに関する。
【背景技術】
【０００３】
このような形式の家具駆動装置は、例えば国際公開第２００６／００５０８６号に基づいて既に公知である。
【０００４】
このような家具駆動装置の使用時における特別な要求は、ばね装置の、作動アームに加えられるトルクを、可動の家具部分のその都度の重量に、かつ／または可動の家具部分の異なる負荷状態に合わせられるということにある。このトルクが、家具部分の重量に関して、かつ／または家具部分の負荷状態に関して低すぎる場合には、可動の家具部分は、家具本体に対して上昇した終端位置に、まったく上昇することができない。これに対して、作動アームに作用するトルクが高すぎる状態に調節されていると、可動の家具部分は、不快なほど大きな力で、家具本体に対して上昇した終端位置に素早く上昇することがある。
【発明の概要】
【発明が解決しようとする課題】
【０００５】
本発明の課題は、冒頭に述べた形式の家具駆動装置を改良して、可動の家具部分の異なる重量への、かつ／または可動の家具部分の異なる負荷状態への改善された適合が可能である、家具駆動装置を提供することである。
【課題を解決するための手段】
【０００６】
この課題は、本発明によれば、請求項１に記載の特徴によって解決される。本発明の別の好適な構成は、従属請求項に記載されている。
【０００７】
つまり、本発明によれば、第１のトルク経過とは異なる第２のトルク経過を有する少なくとも１つの第２の調節輪郭と、切換え装置とが設けられており、切換え装置によって、少なくとも１つの第２の調節輪郭は押圧部材と係合することができ、これによって押圧部材は、作動アームの移動時に第２の調節輪郭に沿って走行可能であることが提案される。
【０００８】
切換え装置は、例えば手動でまたは工具を用いて操作することができる少なくとも１つのスイッチを有しており、スイッチの操作によって、第１の調節輪郭とは異なるトルク経過を有する少なくとも１つの第２の調節輪郭が、押圧部材と係合することができる。スイッチは、機械式のスイッチとして形成されていてもよいし、かつ／または電気式のスイッチとして形成されていてもよく、このスイッチは、家具駆動装置のハウジングに、家具本体に、または可動の家具部分に配置可能である。
【０００９】
１つの実施形態によれば、家具駆動装置は、取付け位置において家具本体に対して、少なくとも１つのばねエレメントによって、制限された範囲で高さ方向可動に支持されており、これによって可動の家具部分は、第１の重量および／または第１の負荷状態によって、家具本体に対して第１の高さ位置をとり、かつ第１の重量に対して大きな第２の重量および／または第１の負荷状態に対して大きな第２の負荷状態によって、家具本体に対して第２の高さ位置をとり、第２の高さ位置は、第１の高さ位置に比べて低い位置にあることが提案されてよい。切換え装置は、第２の高さ位置において、好ましくは自動的に解除可能であることが提案されてよく、このように構成されていると、押圧部材は、作動アームの移動時に第２の調節輪郭に沿って走行可能となる。
【００１０】
したがって、家具駆動装置は、少なくとも１つのばねエレメントを介して、家具本体に対して高さ方向可動に支持されていてよく、ばねエレメントは、可動の家具部分の異なる重量によって、かつ／または可動の家具部分の異なる負荷状態によって、異なって圧縮可能または伸長可能であり、切換え装置は、ばねエレメントの予め設定された圧縮状態または伸長状態の超過時に、好ましくは自動的に解除可能であり、押圧部材は、作動アームの移動時に第２の調節輪郭に沿って走行可能である。
【００１１】
１つの実施形態によれば、切換え装置のスイッチは、第１の位置と第２の位置とを有しており、第１の調節輪郭は、スイッチの第１の位置においてロック可能であり、かつスイッチの第２の位置においてロック解除可能であることが提案されてよい。少なくとも１つのスイッチは、家具駆動装置のハウジングに対して可動に配置されていてよい。
【００１２】
１つの実施形態によれば、第２の調節輪郭の、作動アームの移動時に押圧部材と接触する領域が、第１の調節輪郭の、作動アームの移動時に押圧部材と接触する領域よりも、作動アームの回転軸に関して、小さな半径方向間隔および／または大きな曲率を有することが提案されてよい。
【００１３】
本発明に係るアセンブリは、上述した形式の家具駆動装置と、家具本体に家具駆動装置を取り付けるための保持構造とを有している。保持構造は、家具本体に固定すべき第１の保持体と、第１の保持体に対して、好ましくは取付け位置において鉛直方向に移動可能に支持された第１の保持レールとを有しており、家具駆動装置は、第１の保持レールに支持されていることが提案されてよい。切換え装置のスイッチは第１の保持体に支持されていることが提案されてよい。
【００１４】
本発明のさらなる詳細および利点については、以下における図面を参照した説明において述べる。
【図面の簡単な説明】
【００１５】
【図１ａ】家具本体と、特定の重量を有している可動の家具部分を移動させるための家具駆動装置とを備えた家具を示す斜視図である。
【図１ｂ】家具本体と、特定の重量を有している可動の家具部分を移動させるための家具駆動装置とを備えた家具を示す斜視図である。
【図２ａ】家具本体に対して家具部分を、上昇した閉鎖位置と下降した開放位置との間で高さ方向可動に支持している、家具駆動装置の別の使用分野を示す図である。
【図２ｂ】家具本体に対して家具部分を、上昇した閉鎖位置と下降した開放位置との間で高さ方向可動に支持している、家具駆動装置の別の使用分野を示す図である。
【図３】家具本体に固定するための保持構造を備えた家具駆動装置を示す図である。
【図４】切換え装置によって第１の調節輪郭がロックされており、これによって作動アームの移動時に第１の調節輪郭に沿って押圧部材が走行可能である家具駆動装置を示す斜視図である。
【図５】切換え装置によって第１の調節輪郭がロック解除されており、これによって作動アームの移動時に第２の調節輪郭に沿って押圧部材が走行可能である家具駆動装置を示す斜視図である。
【図６】図５に示した家具駆動装置を、押圧部材が第２の調節輪郭に沿ってさらに移動した状態で示す図である。
【図７】作動アームのさらなる旋回位置とともに家具駆動装置を示す図である。
【図８】図８ａ−８ｃは、家具本体に対して第１の高さ位置にある家具駆動装置と、２つの拡大詳細図とを示す図である。
【図９】図９ａ−９ｃは、家具本体に対して第２の下降した高さ位置にある家具駆動装置と、２つの拡大詳細図とを示す図である。
【図１０ａ】押圧部材が第１の調節輪郭に沿って走行可能である場合の家具駆動装置を示す側面図である。
【図１０ｂ】押圧部材が第２の調節輪郭に沿って走行可能である場合の家具駆動装置を示す側面図である。
【発明を実施するための形態】
【００１６】
図１ａおよび図１ｂには、それぞれ家具本体２を備えた家具１が示されており、家具部分３が、家具駆動装置４によって家具本体２に対して可動に支持されている。家具駆動装置４は、それぞれ１つの、家具本体２に固定すべきハウジング１３と、ハウジング１３に対して旋回可能な作動アーム６とを備えており、これによって可動の家具部分３はそれぞれ、鉛直の閉鎖位置を起点として、家具本体２に対して上昇した位置に可動である。図１ｂに示した可動の家具部分３は、図１ａに示した可動の家具部分３よりも、比較的大きな面積および／または比較的大きな材料厚Ｄ２を有しており、かつ／または比較的重い材料から形成されており、したがって、図１ｂに示した可動の家具部分３は、図１ａに示した比較的小さな材料厚Ｄ１を有する家具部分３よりも、全体として比較的大きな重量を有している。可動の家具部分３の異なる重量および／または異なる負荷状態によって、家具部分３のそれぞれの重量に対応するトルクを、同一の家具駆動装置４によって旋回可能な作動アーム６に与えることが必要である。家具駆動装置４の、ここに図示されていない切換え装置９によって、可動の家具部分３の重量および／または負荷状態に応じて、互いに異なるトルク経過を有する少なくとも２つの調節輪郭２４，２７（図４）を、好ましくは自動的に切り換えることができる。この切り換えによって例えば、作動アーム６に加えられるトルクの第１の粗調節を行うことができ、その後で、家具駆動装置４の（通常設けられている）調節装置によって、作動アーム６に加えられるトルクの精密調節を行うことができる。
【００１７】
図２ａおよび図２ｂには、家具駆動装置４の別の使用分野が示されている。図示の実施形態では、家具１は、ブラインド２２によって閉鎖されている外側本体２ａを備えた家具本体２を有している。（ここでは見ることができない）家具駆動装置４によって、内側本体３ａとして形成された可動の家具部分３は、外側本体２ａに対して、上昇した閉鎖位置と下降した開放位置との間で高さ方向可動に配置されている。内側本体３ａは、貯蔵品を収容するために形成されており、グリップ８を介して外側本体２ａに対して、鉛直に延びる方向に昇降可能である。
【００１８】
図３には、図２ａに示した家具１が示されている。外側本体２ａと、外側本体２ａを覆うブラインド２２とは図示されていない。家具駆動装置４は、互いに平行に延びる２つのハウジング部分１３ａ，１３ｂを備えたハウジング１３を有しており、両ハウジング部分１３ａ，１３ｂの間には、ばね装置１０（好ましくは、コイルばねとして形成された少なくとも１つの圧縮ばね）によって力が加えられた作動アーム６が、回転軸１２の周りに旋回可能に支持されている。ハウジング部分１３ａ，１３ｂを備えた家具駆動装置４は、保持レール１７に固定されており、この保持レール１７は、外側本体２ａに固定すべき保持体１６に対して、ばねエレメント３８（図８ｃ，図９ｃ）を介して、制限された範囲で高さ方向可動に支持されている。図示の実施形態では、保持体１６に結合された少なくとも１つのスイッチ１８を有する切換え装置９によって、家具駆動装置４は、可動の家具部分３の予め設定された重量および／または負荷状態を超過した時に、変化したトルク経過を有する運転モードに切換えることができる。旋回可能に支持された作動アーム６は、内側本体３ａを取り付けるための固定装置１５を有しており、内側本体３ａは、外側本体２ａに固定すべきリニアガイド２１に沿った作動アーム６の移動時に、鉛直に延びる方向に移動可能に支持される。
【００１９】
外側本体２ａの互いに向かい合って位置する側壁には、第２の家具駆動装置４ａが配置されており、この第２の家具駆動装置４ａは、第１の家具駆動装置４と同一の構成を有している。第２の家具駆動装置４ａを固定するために設けられた保持装置１１もまた、同じ構成を有している。第１の家具駆動装置４または保持装置１１の部材１３，１４，１５等は、第２の家具駆動装置４ａまたは保持装置１１の部材１３ａ，１４ａ，１５ａ等に相当する。第１の家具駆動装置４の作動アーム６の旋回運動は、第２の同期ロッド２０を介して、第２の家具駆動装置４ａの作動アーム６ａの旋回運動と同期可能である。保持構造１１は、さらに、外側本体２ａに固定すべき第２の保持体１６ａと、第２の保持体１６ａに対して移動可能に支持された第２の保持レール１７ａとを備えており、第２の家具駆動装置４ａは、第２の移動可能な保持レール１７ａに支持されている。第１の保持体１６に対する第１の家具駆動装置４の鉛直運動は、第１の同期ロッド１９を介して、第２の保持体１６ａに対する第２の家具駆動装置４ａの鉛直運動と同期可能である。
【００２０】
図４には、保持レール１７に固定された家具駆動装置４が斜視図で示されている。保持体１６は、外側本体２ａの側壁に固定することができ、保持レール１７は、家具駆動装置４のハウジング部分１３ａ，１３ｂと一緒に、位置固定に支持された保持体１６に対して制限された範囲で高さ方向可動に支持されている。保持体１６に対する家具駆動装置４のそれぞれの高さ位置は、軸３１を介して第１の同期ロッド１９（図３）に伝達可能である。保持レール１７は、切換え装置９を貫通させるための切欠き２３を有しており、これによって、切換え装置９の両スイッチ１８はそれぞれ、外側本体２ａに取り付けるべき外側の保持体１６に結合されている。したがって、切換え装置９の両スイッチ１８は、図示の実施形態では、外側本体２ａに対して位置固定に配置されている。両スイッチ１８はそれぞれ、スイッチ１８に対応して配置されたハウジング部分１３ａ，１３ｂのガイド３２内に係合しており、それぞれ、第１の予め設定されたトルク経過を有する第１の調節輪郭２４の縁部２９をロックする。図３に示したばね装置１０の力を回転軸１２の周りに旋回可能な作動アーム６に伝達するための伝達機構３３が設けられており、この伝達機構３３は、第１のトルク経過を有する第１の調節輪郭２４と、ばね装置１０によって力が加えられた押圧部材２６とを備えている。押圧部材２６は、作動アーム６の移動時に、第１の調節輪郭２４に沿って走行可能である。図示の実施形態では、押圧部材２６は、回転可能に支持された押圧ローラとして形成されており、この押圧ローラは、作動アーム６の移動時に、第１の調節輪郭２４に沿って転動可能である。第１の調節輪郭２４は、回転軸２５の周りに旋回可能に支持されており、第１の調節輪郭２４には、引張りばねとして形成された戻しばね２８によって比較的小さなばね力が加えられ、したがって、ロック解除が行われた後で（つまり、第１の調節輪郭２４の縁部２９がスイッチ１８から連結解除された後で）、第１の調節輪郭２４を再びロック位置の方向に押圧することができる。図示の図面において、作動アーム６は、可動の家具部分３（内側本体３ａ）の下降位置に相当する旋回位置にあり、押圧部材２６は、作動アーム６の上方旋回時に第１の調節輪郭２４に沿って走行可能である。作動アーム６は、第２の同期ロッド２０を固定するためのアダプタ３０を有しており、第２の同期ロッド２０によって、作動アーム６の旋回運動は、第２の家具駆動装置４ａ（図３）の、向かい合って位置している作動アーム６ａの旋回運動に同期することができる。可動の家具部分３（内側本体３ａ）の予め設定された重量および／または予め設定された負荷状態を下回っている場合、押圧部材２６は、作動アーム６の移動時に第１の調節輪郭２４に沿って走行可能に支持されている。
【００２１】
図５に示した家具駆動装置４は、内側本体３ａに対する追加的な荷重によって、位置固定の保持体１６に対して下降している。ハウジング部分１３ａ，１３ｂはそれぞれガイド３２を備えており、これらのガイド３２内には、切換え装置９のスイッチ１８が係合しており、ひいてはスイッチ１８と家具駆動装置４のハウジング１３との間の鉛直運動を可能にする。保持体１６に対する家具駆動装置４の下降によって、第１の調節輪郭２４の縁部２９は、スイッチ１８から連結解除可能であり、このとき、第１の調節輪郭２４は、ばね装置１０（図６）によって力が加えられた押圧部材２６によって、反時計回り方向に離反押圧され、押圧部材２６はいまや、第１の調節輪郭２４とは異なるトルク経過を有する第２の調節輪郭２７と係合することができる。第１の調節輪郭２４が、作動アーム６の回転軸１２に対して、好ましくは回転軸２５の周りに可動に支持されているのに対して、第２の調節輪郭２７は、作動アーム６の回転軸１２に対して位置固定に形成されている。好ましくは、第２の調節輪郭２７は、家具駆動装置４のハウジング部分１３ａ，１３ｂとともに一体に形成されている。
【００２２】
図７には、上側の終端位置にある作動アーム６を備えた家具駆動装置４が示されており、上側の終端位置は、外側本体２ａに対して内側本体３ａが閉鎖された位置に対応する。つまり、押圧部材２６は、図５を起点として第２の調節輪郭２７に沿って走行している。作動アーム６は長孔３５を有しており、この長孔３５に沿って、ばね装置１０によって力が加えられた押圧部材２６が、制限された範囲で移動可能に支持されている。
【００２３】
図８ａには、互いに向かい合って位置している両家具駆動装置４，４ａが示されており、両家具駆動装置４，４ａは、保持構造１１を介して家具本体２（図２ｂ）に固定することができる。左側（第２）の保持レール１７ａからはカバーが取り外されているので、第１の同期ロッド１９の第２の端部領域に配置された歯車３６を見ることができる。第１の同期ロッド１９の第１の端部領域には、（ここでは見えない）第１の歯車３６が配置されている。第１の歯車３６および第２の歯車３６はそれぞれ、第１の同期ロッド１９に回動不能に結合されており、それぞれ保持体１６ａの歯列３７と共働する。このようにして、保持レール１７，１７ａの鉛直運動（ひいては家具駆動装置４，４ａの鉛直運動）は、第１の同期ロッド１９を介して互いに同期可能である。図８ｂには、図８ａ中の円で囲まれた領域Ａが拡大されて示されている。第１の調節輪郭２４は、縁部２９を介して切換え装置９のスイッチ１８によってロックされており、これによって、押圧部材２６は、作動アーム６の移動時に第１の調節輪郭２４に沿って走行可能である。図８ｃには、図８ａ中の円で囲まれた領域Ｂが拡大されて示されている。保持レール１７ａは、少なくとも１つのばねエレメント３８を介して保持体１６ａに対して支持されており、したがって、保持レール１７ａ（ひいては家具駆動装置４，４ａ）は、保持体１６に対して、制限された範囲で高さ方向可動に支持されている。可動の家具部分３は、第１の重量時および／または第１の負荷状態時に、家具本体２（ひいては保持体１６，１６ａ）に対して第１の高さ位置をとる。
【００２４】
図９ａには、家具本体２に対して、図８ａと比べて下降した位置にある両家具駆動装置４，４ａが示されている。可動の家具部分３（内側本体３ａ）に、貯蔵品３９（本実施形態では、積み重ねられた皿によって象徴的に示されている）によって荷重が加えられると、保持レール１７，１７ａに結合された家具駆動装置４，４ａは、ばねエレメント３８（本実施形態では、２つまたはそれ以上の互いに平行に配置された圧縮ばねによって形成されている）の力に抗して、位置固定の保持体１６，１６ａに対して下降し、家具本体２に対して下降した第２の高さ位置をとる。図９ｂに示した詳細図から分かるように、貯蔵品３９による追加的な荷重によって、第１の調節輪郭２４は、保持体１６に結合されたスイッチ１８から連結解除され、これによって第１の調節輪郭２４の縁部２９は、スイッチ１８からロック解除される。ロック解除された調節輪郭２４は、ばね装置１０（図３）によって力が加えられた押圧部材２６によって、回転軸２５の周りに旋回し、したがって押圧部材２６は、第２の調節輪郭２７に沿って走行可能になる。第２の調節輪郭２７は、第１の調節輪郭２４に対して高いトルク経過を有するようになっていてよく、このように構成されていると、可動の家具部分３は、貯蔵品３９による追加的な荷重時にも、リニアガイド２１に沿って、家具本体２に対して上昇した終端位置に走行可能である。
【００２５】
図１０ａには家具駆動装置４が示されており、押圧部材２６は、回転軸１２周りの作動アーム６の移動によって第１の凸面状の調節輪郭２４に沿って走行可能に支持されている。押圧部材２６と第１の調節輪郭２４との間の接線４０に対して垂直に延びる垂線が、作動アームの回転軸１２に関する第１のてこ腕ａを発生させる。
【００２６】
図１０ｂには、これに対して、スイッチ１８から連結解除された第１の調節輪郭２４が示されており、したがって押圧部材２６は、回転軸１２周りの作動アーム６の移動によって、第２の凸面状の調節輪郭２７に沿って走行可能である。押圧部材２６と第２の調節輪郭２７との間の接線４０ａに対して垂直に延びる垂線が、作動アーム６の回転軸１２に関する第２のてこ腕ａを発生させる。直接的な比較から認識できるように、図１０ｂに示した第２のてこ腕ａは、図１０ａ中の第１のてこ腕ａよりも長い。その時々のトルクは、力×てこ腕（式Ｍ＝Ｆ・ａ）によって発生するので、比較的長い第２のてこ腕ａを備えた、図１０ｂに示した第２の調節輪郭２７の使用時には、図１０ａに示した第１の調節輪郭２４の使用時よりも大きなトルク経過が発生する。
【図１ａ】
2019515162.tif 000003
【図１ｂ】
2019515162.tif 000004
【図２ａ】
2019515162.tif 000005
【図２ｂ】
2019515162.tif 000006
【図３】
2019515162.tif 000007
【図４】
2019515162.tif 000008
【図５】
2019515162.tif 000009
【図６】
2019515162.tif 000010
【図７】
2019515162.tif 000011
【図８ａ−８ｃ】
2019515162.tif 000012
【図９ａ−９ｃ】
2019515162.tif 000013
【図１０ａ】
2019515162.tif 000014
【図１０ｂ】
2019515162.tif 000015
【国際調査報告】
2019515162.tif 000016
2019515162.tif 000017
2019515162.tif 000018
2019515162.tif 000019